(57)【特許請求の範囲】
【請求項１】
横軸および縦軸の一方を医療情報の種別を示す第１の軸とし他方を前記医療情報が取得された時を示す第２の軸とする表示部における座標上に、複数の医療情報を表示させる表示制御手段と、
前記第１の軸に示された複数の前記種別のうち１の種別を指定する指定手段と、を備え、
前記表示制御手段は、前記複数の医療情報のうち前記指定手段によって指定された種別の医療情報が取得された時と異なる時に取得された前記指定された種別以外の種別の医療情報を他の医療情報より小さく前記表示部に表示させることを特徴とする情報処理装置。
【請求項２】
前記他の医療情報は、前記指定手段によって指定された種別の医療情報および前記指定された種別の医療情報が取得された時と同じ時に取得された前記指定された種別以外の種別の医療情報を含み、
前記表示制御手段は、前記指定手段によって指定された種別の医療情報および前記指定された種別の医療情報が取得された時と同じ時に取得された前記指定された種別以外の種別の医療情報を同一の表示形態で前記表示部に表示させることを特徴とする請求項１記載の情報処理装置。
【請求項３】
前記表示制御手段は、前記指定手段によって指定された種別の医療情報が取得されたされた時の間隔に基づいて前記指定手段によって指定された種別の医療情報が取得された時と異なる時に取得された前記指定された種別以外の種別の医療情報の表示サイズを決定することを特徴とする請求項１または請求項２記載の情報処理装置。
【請求項４】
横軸および縦軸の一方を医療情報の種別を示す第１の軸とし他方を前記医療情報が取得された時を示す第２の軸とする表示部における座標上に、複数の医療情報を表示させる表示制御手段と、
前記第１の軸に示された複数の前記種別のうち１の種別を指定する指定手段と、を備えた情報処理装置の制御方法であって、
前記表示制御手段に、前記複数の医療情報のうち前記指定手段によって指定された種別の医療情報が取得された時と異なる時に取得された前記指定された種別以外の種別の医療情報を他の医療情報より小さく前記表示部に表示させる表示制御工程を有することを特徴とする情報処理装置の制御方法。
【請求項５】
請求項４記載の制御方法をコンピュータに実行させるためのプログラム。
【発明の詳細な説明】
【技術分野】
【０００１】
開示の技術は、情報処理装置、制御方法およびプログラムに関する。
【背景技術】
【０００２】
近年、医療現場では、病院情報システム（ＨＩＳ）、画像保管通信システム（ＰＡＣＳ）、放射線情報システム（ＲＩＳ）等の医療情報システムの普及に伴い、医用画像及び医用文書等の医療情報の電子化が進んでいる。
【０００３】
この電子化された医療情報の利用方法として、Ｘ線画像、ＣＴ画像等の画像の種類を縦軸、Ｘ線画像等の取得タイミングを横軸にし、Ｘ線画像等のサムネイル画像をマトリクス状に表示することが知られている。医師はマトリクス状に表示されたサムネイル画像を参照することで患者の情報の全体像を容易に把握することができる。
【０００４】
特許文献１には、医療情報として投薬情報を種別毎に時系列に沿ってマトリクス状に表示することが開示されている。このマトリクス状の表示において種別毎の時間軸は共通となっているため、異なる種別の医療情報を容易に比較・参照することが可能である。
【先行技術文献】
【特許文献】
【０００５】
【特許文献１】特開２０１２−７９２００公報
【発明の概要】
【発明が解決しようとする課題】
【０００６】
しかしながら、特許文献１に開示された表示は、表示された各医療情報に対して同様の表示領域が割り当てられており、異なる種別間で医療情報を比較・参照する際の重要度の軽重に応じた適切な表示とはなっていなかった。
【０００７】
開示の技術は、上記の課題に鑑みてなされたものであり、異なる種別間で医療情報を比較・参照する際の重要度の軽重を考慮した適切な医療情報の表示形式を提供することを目的とする。
【０００８】
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【０００９】
上記目的を達成するための一手段として、開示の情報処理装置は、横軸および縦軸の一方を医療情報の種別を示す第１の軸とし他方を前記医療情報が取得された時を示す第２の軸とする表示部における座標上に、複数の医療情報を表示させる表示制御手段と、前記第１の軸に示された複数の前記種別のうち１の種別を指定する指定手段と、を備え、前記表示制御手段は、前記複数の医療情報のうち前記指定手段によって指定された種別の医療情報が取得された時と異なる時に取得された前記指定された種別以外の種別の医療情報を他の医療情報より小さく前記表示部に表示させる。
【発明の効果】
【００１０】
開示の技術によれば、異なる種別間で医療情報を比較・参照する際の重要度の軽重を考慮した適切な医療情報の表示が可能となる。
【図面の簡単な説明】
【００１１】
【図１】第１実施形態における情報処理装置を備える医用情報システムの概略構成の一例を示す図である。
【図２】第１実施形態における情報処理装置の処理の流れ（フローチャート）の一例を示す図である。
【図３】第１実施形態における情報処理装置の医療情報取得部の処理の流れ（フローチャート）を示す図である。
【図４】第１実施形態における情報処理装置の各情報の整列処理の流れ（フローチャート）を示す図である。
【図５】第１実施形態における情報処理装置の注目処理の整列処理の流れ（フローチャート）を示す図である。
【図６】第１実施形態における時系列上に整列したデータ間の間隔幅を制御した様子を示す図である。
【図７】第１実施形態における注目部以外の複数の医療情報の整列方法の一例を示す図である。
【図８】第１実施形態における医用画像の縮小の有無についての具体例の一例示す図である。
【図９】第１実施形態における各期間の時間間隔の幅の算出方法の一例を示す図である。
【発明を実施するための形態】
【００１２】
以下、添付の図面を参照して、本実施形態に係る情報処理装置について説明する。なお、以下の実施形態において示す構成は一例に過ぎず、本発明は本明細書及び図面に開示された構成に限定されるものではない。
【００１３】
＜第１実施形態＞
図１は第１実施形態における情報処理装置を備える医用情報システムの概略構成を示す図である。
【００１４】
医療情報システムはモダリティ１０１、ＨＩＳ１０２、ＲＩＳ１０３、ＰＡＣＳ１０４、情報処理装置１０５、ネットワーク１００およびクラウド１１２を備える。
【００１５】
図１において、ネットワーク１００には、モダリティ１０１、院内システムとしてＨＩＳ１０２、ＲＩＳ１０３、ＰＡＣＳ１０４、情報処理装置１０５、情報記録部としてクラウド１１２が互いに通信可能な状態で接続されている。
【００１６】
モダリティ１０１は、被検体の検査対象部位を撮影することにより、その部位を二次元もしくは三次元的に表した画像データを生成する。モダリティ１０１は、例えば、この画像データにＤＩＣＯＭ規格で規定された付帯情報を付加して出力する。例えば、付帯情報には被検体を撮影した時刻、撮影に用いたモダリティの種別、撮影部位等の情報が含まれる。なお、画像データの中には医用画像に付随するテキスト情報を含んでも良い。また、撮影された医用画像は、ネットワーク１００を介して、ＨＩＳ１０２、ＲＩＳ１０３、ＰＡＣＳ１０４に送信される。なお、図１においてモダリティ１０１は１つのみ示しているが、これに限定されるものではなく、複数の異なるモダリティがネットワーク１００に接続されていても良い。例えば、Ｘ線撮影装置、ＣＴ撮影装置、眼科撮影装置等がネットワーク１００に接続されることとしてもよい。
【００１７】
ＨＩＳ１０２は、患者の個人情報として、氏名、性別、年齢、身長、体重、国籍等を保持する。また、ＨＩＳ１０２は、患者の医療情報として、患者の病状、既往歴、検査結果、診断結果、読影レポート、医用画像等の院内にある患者に関する情報全般を保持する。なお、ＨＩＳ１０２が上記の情報を保持（記憶）することとしたが、これに限定されるものではなく、クラウド内のＨＩＳ情報記憶部１１２ａが上記の情報を保持することとしてもよい。
【００１８】
ＲＩＳ１０３は、超音波、内視鏡、眼底などの非放射線機器による検査結果と治療の記録をはじめ、検査予約情報に関する情報全般を保持する。なお、ＲＩＳ１０３が上記の情報を保持（記憶）することとしたが、これに限定されるものではなく、クラウド内のＲＩＳ情報記憶部１１３ａが上記の情報を保持することとしてもよい。
【００１９】
ＰＡＣＳ１０４は、各モダリティにより撮影された医用画像とそれに付帯する情報を保持する。付帯する情報には、個々の画像を識別する画像ＩＤ、被写体を識別する患者ＩＤ、検査日や検査時刻等の医用画像に関する情報全般が含まれる。また読影レポートを作成した場合は、読影医氏名、読影画像、所見等の読影に関する情報全般もＰＡＣＳ１０４に保持される。
【００２０】
情報処理装置１０５は、モダリティ１０１、ＨＩＳ１０２，ＲＯＳ１０３，ＰＡＣＳ１０４および情報記憶部１１２の少なくとも１つから医療情報を取得し、医師等の医療情報システムの操作者に対して医療情報を表示する。
【００２１】
情報処理装置１０５は、ＣＰＵ（Ｃｅｎｔｒａｌ  Ｐｒｏｃｅｓｓｉｎｇ  Ｕｎｉｔ）１０６、記憶部１０７および表示部１０８を備える。
【００２２】
ＣＰＵ１０６は、各種の処理を実行する。具体的にはＣＰＵ１０６は、記憶部１０７に記憶されたプログラムを実行することで取得手段１０９、表示制御手段１１０および選択手段１１１として機能する。なお、情報処理装置１０５が備えるＣＰＵ１０６および記憶部１０７は１つであってもよいし複数であってもよい。すなわち、少なくとも１以上の処理装置（ＣＰＵ）と少なくとも１つの記憶装置（ＲＯＭまたはＲＡＭ等）とが接続されており、少なくとも１以上の処理装置が少なくとも１以上の記憶装置に記憶されたプログラムを実行した場合に情報処理装置１０５は上記の各手段として機能する。
【００２３】
取得手段１０９は、ネットワーク１００を介してモダリティ１０１、ＨＩＳ１０２，ＲＯＳ１０３，ＰＡＣＳ１０４および情報記憶部１１２の少なくとも１つから医療情報を取得する。また、取得手段１０９は取得した医療情報を記憶部１０７に記録することとしてもよい。例えば、取得手段１０９は不図示のキーボードまたはマウス等の指定手段により指定された患者識別情報に基づいて、当該患者識別情報を有する医用画像等の医療情報をＰＡＣＳ１０４等から取得する。すなわち、指定手段によって指定された患者に関する医療情報を取得手段１０９は取得する。
【００２４】
表示制御手段１１０は、取得手段１０９によって取得された医療情報を表示部１０８に表示させる。表示制御手段１１０は、取得手段１０９によって取得された医療情報を図７に示すように表示部１０８に表示させる。より具体的には、表示制御手段１１０は、表示部１０８における表示領域において縦軸を医療情報の種別を示す軸（第１の軸）とし横軸を医療情報がモダリティ１０１等によって取得された時刻を示す軸（第２の軸）とする座標に複数の医療情報を表示させる。すなわち、縦軸を医療情報種別、横軸を時間とするマトリクスに医療情報が配置される。
【００２５】
表示制御手段１１０は例えば、モダリティ１０１から取得した医用画像に含まれる付帯情報が示すモダリティの種別および撮影日時に基づいて上記のマトリクスにおける表示位置を決定する。表示制御手段１１０は、所定の患者に関する他の医用画像に対しても上記と同様の処理を行いマトリクス上の表示位置を決定する。すなわち、表示部１０８の表示領域における医療情報の表示位置を表示制御手段１１０は決定する。図７の例においては、例えば、取得手段１０９がＰＡＣＳ１０４からＣＴ画像を取得し、表示制御手段１１０はＣＴ画像に付帯する情報から当該画像がＣＴ撮影装置で撮影されたことおよび撮影された日時は１０月３日であると判断する。そして、表示制御手段１１０は縦軸ＣＴ８０３ａが示す行と横軸８０２の１０月３日が示す列との交点に当該ＣＴ画像を表示させる。より謡的には表示制御手段１１０はＣＴ画像を示すサムネイル画像を表示部１０８に表示させる。
【００２６】
なお、上記の例では縦軸を医療情報の種別とし、横軸を時間（日時）としたがこれに限定されるものではなく、縦軸を時間を示す軸、横軸を医療情報の種別を示す軸としてもよい。すなわち、表示制御手段１１０は、横軸および縦軸の一方を医療情報の種別を示す第１の軸とし他方を医療情報が取得された時を示す第２の軸とする表示部における座標上に、複数の医療情報を表示させる表示制御手段の一例に相当する。
【００２７】
また、表示制御手段１１０は、後述する選択手段１１１によって選択された種別の医療情報と同一の日に撮影され且つ選択手段１１１により選択された種別以外の医療情報を選択手段１１１によって選択された種別の医療情報と同様に表示させる。すなわち、表示制御手段１１１は、指定手段によって指定された種別の医療情報および指定された種別の医療情報が取得された時と同じ時に取得された指定された種別以外の種別の医療情報を同一の表示形態で表示部に表示させる。
【００２８】
一方、表示制御手段１１０は、後述する選択手段１１１によって選択された種別の医療情報と異なる撮影され且つ選択手段１１１により選択された種別以外の医療情報を選択手段１１１によって選択された種別の医療情報と異なる形態で表示部１０８に表示させる。具体的には表示制御手段１１０は、図７に示すように選択手段１１１により選択されたＣＴ画像が存在しない２０１３年１１月７日から２０１４年１１月３日までの間に取得されたＭＲ画像を、ＣＴ画像を示すサムネイル画像より小さなサムネイル画像で表示部１０８に表示させる。また、表示制御手段１１０は選択手段１１１により選択されたＣＴ画像が存在しない２０１３年１１月７日から２０１４年１１月３日までの間に取得されたＭＲ画像を示すサムネイルを他のＭＲ画像を示すサムネイル画像より小さく表示部１０８に表示させる。すなわち、表示制御手段１１１は、複数の医療情報のうち指定手段によって指定された種別の医療情報が取得された時と異なる時に取得された指定された種別以外の種別の医療情報を他の医療情報とは異なる表示形態で表示部に表示させる。より具体的には、表示制御手段１１１は、指定手段によって指定された種別の医療情報が取得された時と異なる時に取得された指定された種別以外の種別の医療情報を他の医療情報より小さく表示部に表示させている。
【００２９】
このように選択された種別以外の医療情報を選択された種別の医療情報に比べて小さく表示することで、医師が着目している医療情報に表示部１０８の表示領域を多く割り当てることが可能となる。その結果医師は所望の医療情報を容易に把握することが可能となる。また、選択された種別以外の医療情報であっても、選択された種別の医療情報と同日に取得された医療情報は、選択された種別の医療情報と比較して患者の状態を把握することに用いられるため、縮小せずに表示部１０８に表示させる。これにより医師は選択された種別の医療情報と同日に取得された医療情報を容易に比較・参照することが可能となり、患者の状態を容易に把握することが可能となる。
【００３０】
選択手段１１１は、医療情報の複数の種別のうち１の種別を選択する。具体的には図示しないキーボードまたはマウス等からの指示に基づいて複数の種別のうち１の種別を選択する。例えば、図７において種別の見出し８０３ａにマウスカーソルを合わせ、ダブルクリックを行った場合にマウスから出力される信号を選択手段１１１が受信することで、選択手段１１１は種別としてＣＴ画像を選択する。なお、種別の選択は上記の例に限定されるものではなく、種別の見出し８０３ａ、８０４ａ、８０５ａの横にカーソルを表示させ当該カーソルをドラッグ＆ドロップして移動させることで種別を選択することとしてもよい。また、１のサムネイル画像を選択（例えばクリック）することで選択されたサムネイル画像が属する種別を選択することとしてもよい。すなわち、選択手段１１１は、第１の軸に示された複数の種別のうち１の種別を指定する指定手段の一例に相当する。なお、所定の種別がデフォルトで自動的に選択されることとしてもよい。
【００３１】
記憶部１０７は各種の情報を記憶する。例えば、記憶部１０７は、ＲＯＭ、ＲＡＭ、ＨＤＤおよびＳＳＤの少なくとも１つを含む。また、記憶部１０７は取得手段１０９が取得した医療情報を記憶することとしてもよい。さらに、記憶部１０７がＲＯＭおよびＲＡＭを備える場合、ＲＯＭには制御プログラムが記憶され、ＣＰＵ１０６はＲＯＭに記憶された制御プログラムをＲＡＭに展開し実行することにより上述の各手段として機能する。
【００３２】
表示部１０８は、各種の情報を表示する。例えば、表示部１０８は表示制御部１１０の制御に基づいて医療情報をマトリクス状に表示する。より具体的には図７に示すように医療情報を表示する。
【００３３】
クラウド１１２は、各種の情報を記憶する。クラウド１１２がＨＩＳ１０２，ＲＩＳ１０３，ＰＡＣＳ１０４が記憶する情報を記憶することとしてもよいし、記憶部１０７が記憶する情報をクラウド１１２が記憶することとしてもよい。
【００３４】
図２は、第１実施形態における情報処理装置の処理の流れ（フローチャート）を示す図である。
【００３５】
ステップＳ３０１では、取得手段１０９がネットワーク１００を介して、ＨＩＳ１０２、ＲＩＳ１０３、ＰＡＣＳ１０４等に含まれる患者の医療情報を取得する。具体的には情報処理装置１０５に入力された患者識別情報に基づいて、当該患者識別情報を有する医療情報を取得手段１０９は取得する。
【００３６】
ステップＳ３０２では、取得した医療情報に基づき、それら医療情報を時系列に従い整列させる。整列する時には、実時間と対応した区間補完を行い配置する。ステップＳ３０２の実時間と対応した区間補完を行う処理は、図６を用いて後述する。なお、表示制御手段１１０は、ステップＳ３０２の結果を表示部１０８に表示させることとしてもよいし、ステップＳ３０２の結果を記憶部１０７に記憶させるだけで表示部１０８に表示しないこととしてもよい。
【００３７】
ステップＳ３０３ではステップＳ３０２で整列・配置した医療情報を、注目部が指定されたこと契機とし、注目部を基準にその他複数の医療情報を一括で再整列する。注目部の指定方法を示す一例を示す図、及び複数の医療情報を一括で再整列する様子を示す図を図７に示す。なお、注目部を指定するとは例えば、複数の種別の医療情報のうち１の種別を指定することを含む。なお、表示制御手段１１０は、ステップＳ３０２の結果を表示部１０８に表示させず、ステップＳ３０３の結果を表示部１０８に表示させることとしてもよい。例えば、所定の種別がデフォルトで自動的に選択される場合には、表示制御手段１１０は、ステップＳ３０２の結果を表示部１０８に表示させず、ステップＳ３０３の結果を表示部１０８に表示させることとしてもよい。
【００３８】
以上Ｓ３０１〜Ｓ３０３のステップにより、図７に示すような注目部に合わせて最適化された医療情報が提示される。
【００３９】
図３は第１実施形態における取得部１０９による医療情報の所得処理の流れ（フローチャート）を示す図である。すなわち、図３は、図２のステップＳ３０１の詳細を示すフローチャートである。
【００４０】
ステップＳ４０１では、情報処理装置１０５の操作者（医師等の医療従事者）は、図示しないキーボード又はマウスにより入力された患者識別情報を情報処理装置１０５に入力する。すなわち、情報処理装置の操作者が所望の患者を指定する。なお、患者の指定方法は、表示部１０８にグラフィカルユーザインタフェースとして表示された検索ボックス等から患者ＩＤ番号や患者名を入力して指定してもよいし、コマンドラインから指定してもよい。
【００４１】
ステップＳ４０２では、取得手段１０９は、ステップＳ４０１で指定した患者についての医療情報を、ＨＩＳ１０２、ＲＩＳ１０３、ＰＡＣＳ１０４等から取得する。具体的には、患者氏名、生年月日、性別等の患者情報、診断結果、検査結果、特記事項等の患者属性情報および各種のモダリティにより撮影された画像を取得する。なお取得したこれらの情報にはそれぞれタグ付けを行い、項目毎（種別毎）に分類する。
【００４２】
ステップＳ４０３では、ステップＳ４０２で取得した医療情報を一時的に記憶部１０７に記録する。記録時にはステップＳ４０２で付けたタグ情報を元に分類して記録する。
【００４３】
以上Ｓ４０１〜Ｓ４０３のステップにより、患者の医療情報を取得する。
【００４４】
図４は第１実施形態における情報処理装置の各情報の整列処理の流れ（フローチャート）を示す図である。すなわち、図４は、図２のステップＳ３０２の詳細を示すフローである。
【００４５】
ステップＳ５０１では、表示制御手段１１０は、図２のステップＳ３０１で取得した医療情報から、各種検査結果の検査時刻やデータ取得時刻などの医療情報を取得するためのイベントが発生或いは終了した時刻を取得する。例えば、Ｘ線画像またはＣＴ画像であれば、ＤＩＣＯＭ情報に含まれる撮影時刻（日時）を表示制御手段１１０は取得する。また電子カルテ等の情報であれば当該カルテが作成された時刻を表示制御手段１１０は取得する。
【００４６】
ステップＳ５０２では、表示制御手段１１０は、ステップＳ５０１で取得した各種医療情報の取得に関する時刻に対し、同じ種別の医療情報において時間的に隣り合った医療情報の間隔（時間）を算出する。例えば、２枚のＸ線画像が取得手段１０９により取得されている場合を例にあげる。一方のＸ線画像が２０１３年１１月６日に撮影され他方のＸ線画像が２０１４年１１月１４日に取得されており、２０１３年１１月７日から２０１４年１１月１３日までＸ線画像がないとすると、表示制御手段１１０は間隔として３７２日と算出する。なお、算出する間隔の単位は「日」であってもよいし「秒」、「分」、「月」、「年」のいずれであってもよい。
【００４７】
ステップＳ５０３では、表示制御手段１１０は、ステップＳ５０２で算出した時間間隔に基づき、その時間間隔に対応した表示部１０８の表示領域における間隔を２つの医療情報間（サムネイル画像間）に挿入する。医療情報間に間隔を挿入するための間隔制御とは、時系列上に整列した医療情報間の経過時間に対応した間隔を意図的に挿入する制御である。
【００４８】
ここで、図６を用いてステップＳ５０３を説明する。
【００４９】
図６は第１実施形態における時系列上に整列したデータ間の間隔を制御した様子を示す図である。図６の７０１は医療情報間の間隔を詰めた表現の様子を示し、７０２は間隔制御を行った様子を示す。間隔を詰めた表現（７０１）で医療情報を配置すると、日付を注視しない限り、隣り合った情報の経過時間を目視で把握することが困難である。そこで時間間隔を空けた表現（７０２）の通り、実時間に対応させた間隔制御を行うことで、経過時間を瞬時に視認可能になる。なお、７０２ａは１年程度の期間、７０２ｂは半年程度の期間、７０２ｃは数日程度の期間、７０２ｄは１ヶ月程度の期間が空いた様子を表示領域において示す間隔である。
【００５０】
ここで、図９を用いて時間間隔の幅の算出方法を説明する。
【００５１】
図９は第１実施形態における各期間の時間間隔の幅の算出方法の一例を示す図である。時系列上の時間間隔の幅を算出するために、１年間の時間間隔（１１０１）を設定する。具体的には、ユーザが１年間と視認できる幅を任意に指定する。なお、指定方法としてグラフィカルユーザインタフェースを用いて数値入力して指定することとしてもよい。また、ドラッグ＆ドロップなどにより時間間隔の幅を変更し、指定することとしてもよい。またこれらの指定方法に限定されるものではなく、他の指定方法であってもよい。。
【００５２】
１年間の時間間隔の幅（１１０１）を設定すると自動的にそれ以外の時間間隔の幅も決定される。具体的には、１年間の期間が空いた時の間隔幅（１１０１）をｘとすると、半年間の期間が空いた時の間隔幅（１１０２）の期間幅はｘを１２分割した幅の内、６区間分の幅を設定する。つまり半年間の幅は（ｘ／１２）×６と算出される。同様に１ヶ月間の期間が空いた時の間隔幅（１１０３）の区間幅は（ｘ／１２）×１と算出される。なお、視認性を向上するため、一週間以内の間隔幅は全て１週間分として表示する。これは１ヶ月を４週間で配分した幅になるため｛（ｘ／１２）×１｝／４｝として算出する。これにより１週間程度の期間が空いた時の間隔幅（１１０４）の区間幅は｛（ｘ／１２）×１｝／４｝となる。なお、最初に設定する時間間隔の幅を１年間の幅ではなく「月」、「日」等の他の単位の幅を決定し、決定した幅に基づいて１年間に対応する表示領域における幅を求めることとしてもよい。また、サムネイル画像（医療情報）を所定のサイズで表示できるように表示部１０８における表示領域のサイズを考慮して１年間の時間間隔の幅を決定することとしてもよい。例えば、表示制御手段１１０は、表示領域のサイズから表示すべきサムネイル画像の個数にサムネイル画像１つの大きさを乗算した値を減算し、得られた値をサムネイル画像間に挿入すべき間隔として割り当てることとしてもよい。例えば、減算して得られた値が９（単位は省略）であり、挿入すべき間隔が１年および６ヶ月であれば、１年を示す表示領域における間隔を６とし、６ヶ月を示す間隔を３とする。
【００５３】
ステップＳ５０４では、ステップＳ５０１で取得した情報に、ステップＳ５０３で算出した間隔制御を行った結果に基づいて、医療情報を全て時系列順に整列する。
【００５４】
以上Ｓ５０１〜Ｓ５０４のステップにより、時間間隔に対応した間隔を挿入した医療情報が時系列順に整列される。
【００５５】
図５は本発明の第１実施形態における情報処理装置の注目処理の整列処理の流れ（フローチャート）を示す図である。これは図２のステップＳ３０３に対応する。
【００５６】
チーム医療の現場では、一人の患者に対して複数の医療従事者が関係しており、個々の従事者が関心を持つ医療情報はその人の責務によって異なる。具体的には、肺がんを患った患者の医療情報を閲覧する際に、担当医は患者基本情報や読影レポート等、看護師は現在までの看護記録、放射線科医はＣＴやＭＲＩ等の医用画像、薬剤師は薬剤情報等、個々人の関心を持つ情報は多種多様である。そこで、個々人の注目部を指定することで、個々人に最適化された表示形態を実現する。ここで、注目部の一例は、複数種別の医療情報のうち所望の種別の医療情報である。
【００５７】
ステップＳ６０１では、複数の医療情報の中から注目部を指定する。指定方法はユーザがマウスカーソルを用いて画面上の注目部にフォーカスする、各病院や各診療科、個人毎に頻用する項目に対して自動でフォーカスする等がある。例えば、各病院でチーム医療に取り組んでいる場合、チームで必ず確認する項目や個人毎に頻用する項目等を予め設定することで、初期状態の注目部を指定できる。また、疾患に応じた注目部を自動でサジェストし、その疾患に対して関連度の高い項目を自動指定することもできる。なお指定方法はこれに限定されるものではない。
【００５８】
ステップＳ６０２では、ステップＳ６０１で指定した注目部を基準とした時系列を設定する。設定方法は、時系列上に表示する期間全体を、注目部として指定した行または列の期間と自動で合致させる。
【００５９】
ステップＳ６０３では、ステップＳ６０２で設定した時系列に従い、注目部以外の複数の医療情報を並び替える。
【００６０】
ここで、図７を用いてステップＳ６０３の並び替えを説明する。
【００６１】
図７は本発明の第１実施形態における注目部以外の複数の医療情報の整列方法の一例を示す図である。図７の８０１は注目部としてＣＴ画像を示す８０３ａが選択された場合の表示画面を示し、８０６はＸ線画像を示す８０５ｂが選択された場合の表示画面を示す。
【００６２】
図７の８０１における８０３ａはステップＳ６０１で任意もしくは自動指定した注目部である。ステップＳ６０２では注目部である８０３ａに合わせて時系列を設定するため、ステップＳ６０１で任意もしくは自動指定した注目部の医用画像は縮小せず表示する。
【００６３】
図７の８０１において８０４ａ、８０５ａの行に存在するサムネイルは、ステップＳ６０１で指定された注目部の時系列に合わせられたその他複数の医療情報である。８０３ａの時系列と同日に取得した医用画像は、８０３ａと同様に縮小せずに表示し、８０３ａの時系列に無い日付で取得した医用画像は、８０３ａの間隔制御に対応する期間内に縮小して表示する。一方、図７の８０６ではＸ線画像を示す８０５ｂが選択されているため、８０５ｂの時系列と同日に取得した医用画像は、８０５ｂと同様に縮小せずに表示する。また、８０５ｂの時系列に無い日付で取得した医用画像は、８０５ｂの間隔制御に対応する期間内に縮小して表示する。なお、図７の８０１の状態からＸ線画像を示す８０５ｂが選択された場合には図７の８０６の状態に遷移する。
【００６４】
ここで、図８を用いて図７の医用画像の縮小について具体例を用いて説明する。
【００６５】
図８は第１実施形態における医用画像の縮小の有無についての情報を保持するテーブルの一例である。ＣＴ画像を示す行を任意もしくは自動指定した注目部（８０３ａ）とし、ＭＲ画像を示す行（８０４ａ）、Ｘ線画像を示す行（８０５ａ）をその他複数の医療情報とした場合を想定する。すると、ＣＴ画像を示す行（８０３ａ）の日付と合致しない医用情報は全て縮小し、ＣＴ画像を示す行の各データ間の時間間隔内に表示する。例えば、２０１３年１０月３日にＣＴ画像を示す行に医用画像が登録され、同日にＭＲ画像を示す行、Ｘ線画像を示す行にも医用画像が登録されていた場合は、２０１３年１０月３日の医用画像は縮小せず、そのまま表示する。表示制御手段１１０は、この表示に関する情報を図８に示すテーブルとして保持する。図８においては２０１３年１０月３日の医用画像を縮小しないことを示している（９０１，９０２，９０３）。
【００６６】
一方、２０１３年１１月３０日のようにＣＴ画像を示す行に登録された情報がなく、ＭＲ画像を示す行に医用画像が登録されている場合は、２０１３年１１月７日〜２０１４年１１月３日と対応するＭＲ画像を示す行のスペースにＭＲ画像を示すサムネイルを縮小して表示する。図８においては２０１３年１１月３０日の医用画像を縮小することを示している（９０４、９０５）。同様に２０１４年１２月２４日には、ＣＴ画像を示す行に登録された情報は存在しないため、２０１４年１１月５日〜２０１５年５月２日と対応するＸ線画像を示す行のスペースにＸ線画像を示すサムネイルを縮小して表示する。どの程度Ｘ線画像を示すサムネイル画像を縮小するかは選択された種別のサムネイルの間隔に応じて決定される。すなわち、表示制御手段１１１は、指定手段によって指定された種別の医療情報が取得されたされた時の間隔に基づいて指定手段によって指定された種別の医療情報が取得された時と異なる時に取得された指定された種別以外の種別の医療情報の表示サイズを決定する。
【００６７】
つまり、図８のテーブルによれば２０１３年１０月３日、２０１３年１０月５日、２０１５年８月６日に登録された情報はそのまま表示し、それ以外の日付の情報は、ＣＴ画像を示す行の各データ間の時間間隔内に縮小して表示する。縮小表示は、ＣＴ画像を示す行の各データ間の時間間隔内に収まるように縮小するため、対応する時間間隔の幅に依存する。
【００６８】
上記の実施形態によれば、所望の種別の医療情報と同日に取得されていない医療情報を、所望の種別の医療情報と同日に取得され医師等が比較・参照する可能性の高い医療情報に比べ小さく表示することができる。従って、異なる種別間の医療情報を比較・参照する際に重要な情報に対して表示領域を割くことが可能となり、医師は容易に医療情報を比較・参照することができる。すなわち、医師等は容易に患者の状態を把握することが可能となる。
【００６９】
なお、上記の実施例においてはＸ線画像等の医用画像を主に用いて説明を行ったが、これに限定されるものではなく、投薬情報、電子カルテの情報等の画像以外の医療情報に対して上記の実施例を適用することも可能である。この場合においても上述の効果を奏することが可能となる。
【００７０】
＜その他の実施形態＞
以上、実施形態例を詳述したが、本発明は例えば、システム、装置、方法、プログラム若しくは記録媒体（記憶媒体）等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【００７１】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【００７２】
１０５  情報処理装置
１０６  ＣＰＵ
１０７  記憶部
１０８  表示部
１０９  取得手段
１１０  表示制御手段
１１１  選択手段
【図１】
0006422347.tif 000002
【図２】
0006422347.tif 000003
【図３】
0006422347.tif 000004
【図４】
0006422347.tif 000005
【図５】
0006422347.tif 000006
【図６】
0006422347.tif 000007
【図７】
0006422347.tif 000008
【図８】
0006422347.tif 000009
【図９】
0006422347.tif 000010